(57)【要約】【課題】信号レベルの検出精度を高めることができるとともに、処理時間の短縮化を図ることができるようにする。【解決手段】信号入力端子１から入力された入力信号の立ち上りエッジを計数し、立ち上りエッジの計数値が所定値になるまでＨレベルの信号を出力するカウンタ３と、カウンタ３からＨレベルの信号が出力されている間、検波器２から出力された入力信号の絶対値を積分する積分器４とを設け、信号レベル演算器５が、積分器４の積分結果から入力信号の信号レベルを演算する。【選択図】図１
2014025705.tif 000002
【特許請求の範囲】
【請求項１】
信号入力端子から入力された入力信号を検波して、上記入力信号の絶対値を出力する検波器と、
上記信号入力端子から入力された入力信号の立ち上りエッジ又は立ち下りエッジを計数し、エッジの計数値が所定値になるまで所定レベルの信号を出力するエッジ計数手段と、
上記エッジ計数手段から所定レベルの信号が出力されている間、上記検波器から出力された入力信号の絶対値を積分する積分器と、
上記積分器の積分結果から入力信号の信号レベルを演算する信号レベル演算手段と
を備えた入力信号レベル検出器。
【請求項２】
信号入力端子から入力された入力信号を検波して、上記入力信号の絶対値を出力する検波器と、
上記検波器から出力された絶対値から入力信号のエンベロープを抽出するエンベロープ抽出手段と、
上記エンベロープ抽出手段により抽出されたエンベロープの立ち上りエッジ又は立ち下りエッジを計数し、エッジの計数値が所定値になるまで所定レベルの信号を出力するエッジ計数手段と、
上記エッジ計数手段から所定レベルの信号が出力されている間、上記エンベロープ抽出手段により抽出されたエンベロープを積分する積分器と、
上記積分器の積分結果から入力信号の信号レベルを演算する信号レベル演算手段と
を備えた入力信号レベル検出器。
【請求項３】
エッジ計数手段は、所定値の設定を受け付けることを特徴とする請求項１または請求項２記載の入力信号レベル検出器。
【請求項４】
信号レベル演算手段は、積分器による複数回分の積分結果の平均値を演算し、上記平均値から入力信号の信号レベルを演算することを特徴とする請求項１から請求項３のうちのいずれか１項記載の入力信号レベル検出器。
【請求項５】
信号入力端子から入力された入力信号を検波して、上記入力信号の絶対値を出力する検波器と、
上記信号入力端子から入力された入力信号の立ち上りエッジ又は立ち下りエッジを計数し、エッジの計数値が所定値になるまで所定レベルの信号を出力する第１のエッジ計数手段と、
上記第１のエッジ計数手段から所定レベルの信号が出力されている間、上記検波器から出力された入力信号の絶対値を積分する第１の積分器と、
上記信号入力端子から入力された入力信号のエンベロープを抽出するエンベロープ抽出手段と、
上記エンベロープ抽出手段により抽出されたエンベロープの立ち上りエッジ又は立ち下りエッジを計数し、エッジの計数値が所定値になるまで所定レベルの信号を出力する第２のエッジ計数手段と、
上記第２のエッジ計数手段から所定レベルの信号が出力されている間、上記第１の積分器の積分結果を積分する第２の積分器と、
上記第２の積分器の積分結果から入力信号の信号レベルを演算する信号レベル演算手段と
を備えた入力信号レベル検出器。
【発明の詳細な説明】
【技術分野】
【０００１】
この発明は、入力信号の信号レベルを検出する入力信号レベル検出器に関するものである。
【背景技術】
【０００２】
例えば、以下の特許文献１には、入力信号を検波して、その入力信号の絶対値を出力する検波器や、その検波器から出力された入力信号の絶対値に含まれている高調波（入力信号の周波数に起因する高調波）を除去して、その絶対値から直流成分だけを抽出するローパスフィルタなどを備えている入力信号レベル検出器が開示されている。
【０００３】
この入力信号レベル検出器では、ローパスフィルタが検波器から出力された入力信号の絶対値に含まれている高調波を除去しているが、そのローパスフィルタの出力信号が安定するまでには所定時間を要するため、所定時間を経過するまでの間、そのローパスフィルタの出力信号から入力信号の信号レベルを検出することができない。
即ち、ローパスフィルタの時定数に起因する過渡応答が発生するため、その過渡応答が収束するまでの間待機し、その過渡応答が収束してから、入力信号の信号レベルを検出する必要がある。
【０００４】
なお、高調波の影響を十分に抑圧して、信号レベルの検出精度を高めるには、大きい時定数のローパスフィルタを用いる必要があるが、大きい時定数のローパスフィルタを用いると、ローパスフィルタの出力信号が安定するまでに要する時間が長くなるため、検出結果を得るまでの処理時間が長くなる。
したがって、検出結果を得るまでの処理時間を短くするには、ローパスフィルタの時定数を小さくする必要があるが、小さい時定数のローパスフィルタを用いると、高調波の影響を十分に抑圧することができなくなり、信号レベルの検出精度が劣化する。
【先行技術文献】
【特許文献】
【０００５】
【特許文献１】特開２０１０−１３０４２５号公報（図１）
【発明の概要】
【発明が解決しようとする課題】
【０００６】
従来の入力信号レベル検出器は以上のように構成されているので、信号レベルの検出精度を高めるには、大きい時定数のローパスフィルタを用いる必要があるため、検出結果を得るまでの処理時間が長くなってしまう。一方、検出結果を得るまでの処理時間を短くするには、小さい時定数のローパスフィルタを用いる必要があるため、信号レベルの検出精度が劣化してしまう。そのため、信号レベルの検出精度の向上と処理時間の短縮化の双方を満足することができない課題があった。
【０００７】
この発明は上記のような課題を解決するためになされたもので、信号レベルの検出精度を高めることができるとともに、処理時間の短縮化を図ることができる入力信号レベル検出器を得ることを目的とする。
【課題を解決するための手段】
【０００８】
この発明に係る入力信号レベル検出器は、信号入力端子から入力された入力信号を検波して、その入力信号の絶対値を出力する検波器と、信号入力端子から入力された入力信号の立ち上りエッジ又は立ち下りエッジを計数し、エッジの計数値が所定値になるまで所定レベルの信号を出力するエッジ計数手段と、エッジ計数手段から所定レベルの信号が出力されている間、検波器から出力された入力信号の絶対値を積分する積分器とを設け、信号レベル演算手段が、積分器の積分結果から入力信号の信号レベルを演算するようにしたものである。
【発明の効果】
【０００９】
この発明によれば、信号入力端子から入力された入力信号の立ち上りエッジ又は立ち下りエッジを計数し、エッジの計数値が所定値になるまで所定レベルの信号を出力するエッジ計数手段と、エッジ計数手段から所定レベルの信号が出力されている間、検波器から出力された入力信号の絶対値を積分する積分器とを設け、信号レベル演算手段が、積分器の積分結果から入力信号の信号レベルを演算するように構成したので、信号レベルの検出精度を高めることができるとともに、処理時間の短縮化を図ることができる効果がある。
【図面の簡単な説明】
【００１０】
【図１】この発明の実施の形態１による入力信号レベル検出器を示す構成図である。
【図２】この発明の実施の形態１による入力信号レベル検出器における主要な箇所での信号波形を示す説明図である。
【図３】この発明の実施の形態３による入力信号レベル検出器を示す構成図である。
【図４】この発明の実施の形態３による入力信号レベル検出器における主要な箇所での信号波形を示す説明図である。
【図５】この発明の実施の形態５による入力信号レベル検出器を示す構成図である。
【発明を実施するための形態】
【００１１】
実施の形態１．
図１はこの発明の実施の形態１による入力信号レベル検出器を示す構成図である。
図１において、信号入力端子１は信号レベルを検出する対象の信号を入力する端子である。
検波器２は例えば抵抗、コイル、コンデンサやダイオードなどから構成されており、信号入力端子１から入力された入力信号を検波して、その入力信号の絶対値を出力する回路である。
【００１２】
カウンタ３はエッジのカウント数である所定値の設定を受け付ける機能を備えており、信号入力端子１から入力された入力信号の立ち上りエッジを計数し、立ち上りエッジの計数値が所定値になるまでＨレベル（所定レベル）の信号を積分器４に出力する。
カウンタ３は、例えば、所定値が“３”に設定された場合、入力信号の１つ目の立ち上りエッジを検出すると、Ｈレベルの信号の出力を開始し、３つ目の立ち上りエッジを検出すると、積分器４に対する信号の出力レベルをＬレベルに変更する。なお、カウンタ３はエッジ計数手段を構成している。
【００１３】
この実施の形態１では、カウンタ３が入力信号の立ち上りエッジを計数する例を説明するが、入力信号の立ち下がりエッジを計数するようにしてもよい。
また、この実施の形態１では、立ち上りエッジの計数値が所定値になるまでＨレベルの信号を積分器４に出力して、立ち上りエッジの計数値が所定値になるとＬレベルの信号を積分器４に出力する例を説明するが、立ち上りエッジの計数値が所定値になるまでＬレベルの信号を積分器４に出力して、立ち上りエッジの計数値が所定値になるとＨレベルの信号を積分器４に出力するようにしてもよい。
【００１４】
積分器４は例えば抵抗、コンデンサやオペアンプなどから構成されており、カウンタ３からＨレベル（所定レベル）の信号が出力されている間（所定レベルがＬレベルである場合、Ｌレベルの信号が出力されている間）、検波器２から出力された入力信号の絶対値を積分する積分回路である。
信号レベル演算器５は例えばＣＰＵを実装している半導体集積回路、ワンチップマイコン、あるいは、簡易な計算機などから構成されており、積分器４の積分結果から入力信号の信号レベルを演算する処理を実施する。なお、信号レベル演算器５は信号レベル演算手段を構成している。
【００１５】
図１の例では、入力信号レベル検出器の構成要素である検波器２、カウンタ３、積分器４及び信号レベル演算器５のそれぞれが専用のハードウェアで構成されているものを想定しているが、入力信号レベル検出器がコンピュータで構成されていてもよい。
入力信号レベル検出器がコンピュータで構成されている場合、検波器２、カウンタ３、積分器４及び信号レベル演算器５の処理内容を記述しているプログラムをコンピュータのメモリに格納し、当該コンピュータのＣＰＵが当該メモリに格納されているプログラムを実行するようにすればよい。
【００１６】
次に動作について説明する。
図２はこの発明の実施の形態１による入力信号レベル検出器における主要な箇所での信号波形を示す説明図である。
信号入力端子１から入力された信号は、検波器２及びカウンタ３に取り込まれる。この実施の形態１では、入力信号は、図２に示すように、ＲＦパルスに相当する信号を想定している。
【００１７】
検波器２は、信号入力端子１から信号が入力されると、その入力信号を検波して、その入力信号の絶対値を積分器４に出力する。
検波器２から積分器４に出力される信号の波形は、図２に示すような波形になるが、検波器２の出力信号には入力信号の高調波成分が含まれている。
この高調波成分は雑音成分に見えるため、ローパスフィルタを用いて、高調波成分を抑圧することで、直流電圧で表される入力信号の信号レベル情報を正確に抽出できるようにすることが一般的である。
しかし、ローパスフィルタを用いる場合、上述したように、ローパスフィルタの時定数に起因する過渡応答が発生するため、その過渡応答が収束するまでの間待機する必要がある（過渡応答が収束してからでないと、直流電圧で表される入力信号の信号レベル情報を正確に抽出することができない）。
【００１８】
そこで、この実施の形態１では、ローパスフィルタを用いずに、検波器２の出力信号に含まれている高調波成分を抑圧するようにしている。
即ち、この実施の形態１では、詳細は後述するが、入力信号の入力周波数ｆｉｎ１の周期のＮ倍の周期で離散積分することで、ヌル（Ｎｕｌｌ）点がｆｉｎ１／Ｎの整数倍の周波数に形成されるｓｙｎｃフィルタ特性を利用して、ｆｉｎ１，２ｆｉｎ１，・・・の高調波成分を抑圧するようにしている。
【００１９】
カウンタ３は、エッジのカウント数である所定値の設定を受け付ける機能を備えており、この実施の形態１では、説明の便宜上、所定値が“３”に設定されているものとする。
カウンタ３は、信号入力端子１から入力された入力信号の立ち上りエッジを計数し、立ち上りエッジの計数値が所定値になるまでＨレベルの信号を積分器４に出力する。
即ち、カウンタ３は、図２に示すように、入力信号の１つ目の立ち上りエッジを検出すると、Ｈレベルの信号の出力を開始し、３つ目の立ち上りエッジを検出すると、積分器４に対する信号の出力レベルをＬレベルに変更する。
【００２０】
積分器４は、カウンタ３からＨレベルの信号が出力されると、検波器２から出力される絶対値の積分処理を開始し、カウンタ３から出力される信号がＬレベルになると、絶対値の積分処理を停止する。
ここで、カウンタ３の出力信号がＨレベルである期間は、入力信号の入力周波数ｆｉｎ１の周期のＮ倍の周期に相当するため、積分器４では、入力信号の入力周波数ｆｉｎ１の周期のＮ倍の周期で離散積分することになる。
これにより、積分器４によって、ヌル（Ｎｕｌｌ）点がｆｉｎ１／Ｎの整数倍の周波数に形成されるため、検波器２の出力信号に含まれているｆｉｎ１，２ｆｉｎ１，・・・の高調波成分が抑圧される。
【００２１】
信号レベル演算器５は、積分器４が絶対値の積分処理を停止すると、積分器４の積分結果から入力信号の信号レベルを演算する。
即ち、信号レベル演算器５は、既知である積分器４の利得に対応する積分器４の出力信号の傾きで、積分器４の積分結果を除算することで、入力信号の信号レベルを演算する。
入力信号の信号レベル＝積分器４の積分結果／傾き
なお、信号レベル演算器５による信号レベルの演算が終了すると、積分器４が保持している積分値はリセットされる。
【００２２】
以上で明らかなように、この実施の形態１によれば、信号入力端子１から入力された入力信号の立ち上りエッジを計数し、立ち上りエッジの計数値が所定値になるまでＨレベルの信号を出力するカウンタ３と、カウンタ３からＨレベルの信号が出力されている間、検波器２から出力された入力信号の絶対値を積分する積分器４とを設け、信号レベル演算器５が、積分器４の積分結果から入力信号の信号レベルを演算するように構成したので、信号レベルの検出精度を高めることができるとともに、処理時間の短縮化を図ることができる効果を奏する。
【００２３】
即ち、この実施の形態１によれば、ローパスフィルタを実装することなく、検波器２の出力信号に含まれている高調波成分を抑圧することができるため、ローパスフィルタの時定数に起因する過渡応答が収束するまでの間待機する必要がなくなり、処理時間の短縮化を図ることができる。
また、積分器４によって、ヌル（Ｎｕｌｌ）点をｆｉｎ１／Ｎの整数倍の周波数に形成することができるため、検波器２の出力信号に含まれている高調波成分を十分に抑圧して、信号レベルの検出精度を高めることができる。
【００２４】
実施の形態２．
上記実施の形態１では、信号レベル演算器５が、積分器４の利得に対応する積分器４の出力信号の傾きで、積分器４の積分結果を除算することで、入力信号の信号レベルを演算するものを示したが、信号レベル演算器５が、積分器４による複数回分の積分結果の平均値を演算し、積分器４の出力信号の傾きで、上記平均値を除算することで、入力信号の信号レベルを演算するようにしてもよい。
入力信号の信号レベル＝積分結果の平均値／傾き
この場合、雑音の影響を軽減することができるため、上記実施の形態１よりも更に信号レベルの検出精度を高めることができる効果を奏する。
【００２５】
実施の形態３．
図３はこの発明の実施の形態３による入力信号レベル検出器を示す構成図であり、図において、図１と同一符号は同一または相当部分を示すので説明を省略する。
ローパスフィルタ１１（図３では、「ＬＰＦ」と表記している）は検波器２の出力信号に対する周波数制限を実施して、入力信号の周波数成分及び高調波成分を除去することで、検波器２の出力信号から入力信号のエンベロープを抽出する。なお、ローパスフィルタ１１はエンベロープ抽出手段を構成している。
【００２６】
カウンタ１２はエッジのカウント数である所定値の設定を受け付ける機能を備えており、ローパスフィルタ１１により抽出されたエンベロープの立ち上りエッジを計数し、立ち上りエッジの計数値が所定値になるまでＨレベル（所定レベル）の信号を積分器１３に出力する。
カウンタ１２は、例えば、所定値が“３”に設定された場合、エンベロープの１つ目の立ち上りエッジを検出すると、Ｈレベルの信号の出力を開始し、３つ目の立ち上りエッジを検出すると、積分器１３に対する信号の出力レベルをＬレベルに変更する。なお、カウンタ１２はエッジ計数手段を構成している。
【００２７】
この実施の形態３では、カウンタ１２がエンベロープの立ち上りエッジを計数する例を説明するが、エンベロープの立ち下がりエッジを計数するようにしてもよい。
また、この実施の形態３では、立ち上りエッジの計数値が所定値になるまでＨレベルの信号を積分器１３に出力して、立ち上りエッジの計数値が所定値になるとＬレベルの信号を積分器１３に出力する例を説明するが、立ち上りエッジの計数値が所定値になるまでＬレベルの信号を積分器１３に出力して、立ち上りエッジの計数値が所定値になるとＨレベルの信号を積分器１３に出力するようにしてもよい。
【００２８】
積分器１３は例えば抵抗、コンデンサやオペアンプなどから構成されており、カウンタ１２からＨレベル（所定レベル）の信号が出力されている間（所定レベルがＬレベルである場合、Ｌレベルの信号が出力されている間）、ローパスフィルタ１１により抽出されたエンベロープを積分する積分回路である。
【００２９】
図３の例では、入力信号レベル検出器の構成要素である検波器２、ローパスフィルタ１１、カウンタ１２、積分器１３及び信号レベル演算器５のそれぞれが専用のハードウェアで構成されているものを想定しているが、入力信号レベル検出器がコンピュータで構成されていてもよい。
入力信号レベル検出器がコンピュータで構成されている場合、検波器２、ローパスフィルタ１１、カウンタ１２、積分器１３及び信号レベル演算器５の処理内容を記述しているプログラムをコンピュータのメモリに格納し、当該コンピュータのＣＰＵが当該メモリに格納されているプログラムを実行するようにすればよい。
【００３０】
次に動作について説明する。
図４はこの発明の実施の形態３による入力信号レベル検出器における主要な箇所での信号波形を示す説明図である。
信号入力端子１から入力された信号は、検波器２に取り込まれる。この実施の形態３では、入力信号は、図４に示すように、ＡＳＫなどの変調方式で変調されたパルスに相当する信号を想定している。
【００３１】
検波器２は、信号入力端子１から信号が入力されると、図４に示すように、その入力信号を検波して、その入力信号の絶対値をローパスフィルタ１１に出力する。
ローパスフィルタ１１は、検波器２の出力信号を受けると、その出力信号に対する周波数制限を実施して、入力信号の周波数成分及び高調波成分を除去することで、その出力信号から入力信号のエンベロープを抽出する。
【００３２】
ここで、ローパスフィルタ１１の出力信号は、入力信号のエンベロープに相当するが、入力信号の平均の信号レベルを検出する場合、入力信号の周波数成分及びエンベロープの周波数成分の双方が雑音に見える。
このため、エンベロープの周波数成分よりも十分大きな時定数のローパスフィルタ（ローパスフィルタ１１とは異なるローパスフィルタ）を用いて高調波を抑圧し、直流電圧で表される入力信号の信号レベル情報を正確に抽出できるようにすることが一般的である。
しかし、エンベロープの周波数成分を除去するローパスフィルタを用いる場合、そのローパスフィルタの時定数に起因する過渡応答が発生するため、その過渡応答が収束するまでの間待機する必要がある（過渡応答が収束してからでないと、直流電圧で表される入力信号の信号レベル情報を正確に抽出することができない）。
【００３３】
そこで、この実施の形態３では、エンベロープの周波数成分を除去するローパスフィルタを用いずに、ローパスフィルタ１１の出力信号に含まれている高調波成分を抑圧するようにしている。
即ち、この実施の形態３では、詳細は後述するが、エンベロープの信号力周波数ｆｉｎの周期のＮ倍の周期で離散積分することで、ヌル（Ｎｕｌｌ）点がｆｉｎ／Ｎの整数倍の周波数に形成されるｓｙｎｃフィルタ特性を利用して、ｆｉｎ，２ｆｉｎ，・・・の高調波成分を抑圧するようにしている。
【００３４】
カウンタ１２は、エッジのカウント数である所定値の設定を受け付ける機能を備えており、この実施の形態３では、説明の便宜上、所定値が“３”に設定されているものとする。
カウンタ１２は、ローパスフィルタ１１の出力信号の立ち上りエッジを計数し、立ち上りエッジの計数値が所定値になるまでＨレベルの信号を積分器１３に出力する。
即ち、カウンタ１２は、図４に示すように、ローパスフィルタ１１の出力信号の１つ目の立ち上りエッジを検出すると、Ｈレベルの信号の出力を開始し、３つ目の立ち上りエッジを検出すると、積分器１３に対する信号の出力レベルをＬレベルに変更する。
【００３５】
積分器１３は、カウンタ１２からＨレベルの信号が出力されると、ローパスフィルタ１１の出力信号であるエンベロープの積分処理を開始し、カウンタ１２から出力される信号がＬレベルになると、エンベロープの積分処理を停止する。
ここで、カウンタ１２の出力信号がＨレベルである期間は、エンベロープの信号周波数ｆｉｎの周期のＮ倍の周期に相当するため、積分器１３では、エンベロープの信号周波数ｆｉｎの周期のＮ倍の周期で離散積分することになる。
これにより、積分器１３によって、ヌル（Ｎｕｌｌ）点がｆｉｎ／Ｎの整数倍の周波数に形成されるため、ローパスフィルタ１１の出力信号に含まれているｆｉｎ，２ｆｉｎ，・・・の高調波成分が抑圧される。
【００３６】
信号レベル演算器５は、積分器１３がエンベロープの積分処理を停止すると、積分器１３の積分結果から入力信号の信号レベルを演算する。
即ち、信号レベル演算器５は、既知である積分器１３の利得に対応する積分器１３の出力信号の傾きで、積分器１３の積分結果を除算することで、入力信号の信号レベルを演算する。
入力信号の信号レベル＝積分器１３の積分結果／傾き
なお、信号レベル演算器５による信号レベルの演算が終了すると、積分器１３が保持している積分値はリセットされる。
【００３７】
以上で明らかなように、この実施の形態３によれば、検波器２の出力信号からエンベロープを抽出するローパスフィルタ１１と、ローパスフィルタ１１により抽出されたエンベロープの立ち上りエッジを計数し、立ち上りエッジの計数値が所定値になるまでＨレベルの信号を出力するカウンタ１２と、カウンタ１２からＨレベルの信号が出力されている間、ローパスフィルタ１１により抽出されたエンベロープを積分する積分器１３とを設け、信号レベル演算器５が、積分器１３の積分結果から入力信号の信号レベルを演算するように構成したので、信号レベルの検出精度を高めることができるとともに、処理時間の短縮化を図ることができる効果を奏する。
【００３８】
即ち、この実施の形態３によれば、エンベロープの周波数成分を除去するローパスフィルタを実装することなく、ローパスフィルタ１１の出力信号に含まれている高調波成分を抑圧することができるため、エンベロープの周波数成分を除去するローパスフィルタの時定数に起因する過渡応答が収束するまでの間待機する必要がなくなり、処理時間の短縮化を図ることができる。
また、積分器１３によって、ヌル（Ｎｕｌｌ）点をｆｉｎ／Ｎの整数倍の周波数に形成することができるため、ローパスフィルタ１１の出力信号に含まれている高調波成分を十分に抑圧して、信号レベルの検出精度を高めることができる。
【００３９】
実施の形態４．
上記実施の形態３では、信号レベル演算器５が、積分器１３の利得に対応する積分器１３の出力信号の傾きで、積分器１３の積分結果を除算することで、入力信号の信号レベルを演算するものを示したが、信号レベル演算器５が、積分器１３による複数回分の積分結果の平均値を演算し、積分器１３の出力信号の傾きで、上記平均値を除算することで、入力信号の信号レベルを演算するようにしてもよい。
入力信号の信号レベル＝積分結果の平均値／傾き
この場合、雑音の影響を軽減することができるため、上記実施の形態３よりも更に信号レベルの検出精度を高めることができる効果を奏する。
【００４０】
実施の形態５．
図５はこの発明の実施の形態５による入力信号レベル検出器を示す構成図であり、図において、図１及び図３と同一符号は同一または相当部分を示すので説明を省略する。
第２の積分器である積分器２０は例えば抵抗、コンデンサやオペアンプなどから構成されており、カウンタ１２からＨレベル（所定レベル）の信号が出力されている間（所定レベルがＬレベルである場合、Ｌレベルの信号が出力されている間）、積分器４の積分結果を積分する積分回路である。
なお、図５の入力信号レベル検出器では、カウンタ３が第１のエッジ計数手段を構成し、カウンタ１２が第２のエッジ計数手段を構成している。また、積分器４が第１の積分器を構成している。
【００４１】
上記実施の形態４では、信号レベル演算器５が、積分器１３による複数回分の積分結果の平均値を演算し、積分器１３の出力信号の傾きで、上記平均値を除算することで、入力信号の信号レベルを演算するものを示したが、図１の構成に対して、ローパスフィルタ１１、カウンタ１２及び積分器２０を追加して、積分器２０が、カウンタ１２からＨレベルの信号が出力されている間、積分器４の積分結果を積分するようにすることで、積分器４による複数回分の積分結果の平均値を演算することが可能になる。
したがって、信号レベル演算器５では、既知である積分器２０の利得に対応する積分器２０の出力信号の傾きで、積分器２０の積分結果（積分器４による複数回分の積分結果の平均値）を除算することで、入力信号の信号レベルを演算することができる。
これにより、上記実施の形態４と同様に、雑音の影響を軽減することができるため、上記実施の形態３よりも更に信号レベルの検出精度を高めることができる効果を奏する。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  信号入力端子、２  検波器、３  カウンタ（エッジ計数手段、第１のエッジ計数手段）、４  積分器（第１の積分器）、５  信号レベル演算器（信号レベル演算手段）、１１  ローパスフィルタ（エンベロープ抽出手段）、１２  カウンタ（エッジ計数手段、第２のエッジ計数手段）、１３  積分器、２０  積分器（第２の積分器）。
【図１】
2014025705.tif 000003
【図２】
2014025705.tif 000004
【図３】
2014025705.tif 000005
【図４】
2014025705.tif 000006
【図５】
2014025705.tif 000007